(57)【要約】      （修正有）【課題】蓋部の固定性能及び使用性能を高いものとした、側板の一部を切除して開封する包装容器を提供する。【解決手段】一枚のブランク板を折りたたむことで形成され、連続する複数の側板を折りたたむことで内容物の収納空間を形成する容器側部１０と、蓋部２０と、を有する包装容器１であって、正面側板１２の蓋側端部には蓋側切取部１２ａが形成され、蓋部２０は、正面側板１２に対して、天板表面片２１ａと天板裏面片２１ｂが連続して連結されることで形成され、天板裏面片２１ｂに差込片２２を連結させる第一蓋部材２１と、天板裏面片２１ｂに対して接着される第二蓋部材２３とを有し、容器側部１０によって囲まれることで形成される開口に差込片２２を差し込むことで蓋をすることを特徴とする。【選択図】図２
0003183100.tif 000002
【実用新案登録請求の範囲】
【請求項１】
一枚のブランク板を折りたたむことで形成され、連続する複数の側板を折りたたむことで内容物の収納空間を形成する容器側部と、蓋部と、を有する包装容器であって、
複数の前記側板のうち一つの側板の蓋側端部には切除部が形成され、
前記蓋部は、
前記側板に対して、天板表面片と天板裏面片が連続して連結されることで形成され、前記天板裏面片に差込片を連結させる第一蓋部材と、
前記天板裏面片に対して接着される第二蓋部材とを有し、
前記容器側部によって囲まれることで形成される開口に前記差込片を差し込むことで蓋をすることを特徴とする包装容器。
【請求項２】
複数の前記側板のうち正面側板に前記第一蓋部材が連結され、
複数の前記側板のうち背面側板に前記第二蓋部材が連結されることを特徴とする請求項１に記載の包装容器。
【考案の詳細な説明】
【技術分野】
【０００１】
本考案は、蓋を、ミシン目に沿って切除して開封する形態の包装容器に関する。
【背景技術】
【０００２】
従来、正面側板に形成されたミシン目に沿って切除することで蓋部を開封し、蓋部を再封することが可能な再封機能付き包装容器がある（例えば、特許文献１及び特許文献２参照）。
【０００３】
これらの従来の再封可能な包装容器においては、正面側板に形成される差込口に対して、背面側板に連結されて形成される蓋部の先端の差込部材（特許文献１では「摘み片」、特許文献２では「把持部分７ｃ」）を差し込む。すると、蓋部と一体の差込部材が、正面側板の差込口に固定されることで、蓋部が再封される。このように、正面側板の一部を切除した場合、従来の構成においては蓋部には差込部材が必須であった。
【先行技術文献】
【特許文献】
【０００４】
【特許文献１】特開２００６−１１１２９１
【特許文献２】特開平０７−２５７５５８
【考案の概要】
【考案が解決しようとする課題】
【０００５】
しかしながら、正面側板の一部を切除して開封するタイプの包装容器は、蓋部に差込部材が必須であったため、包装容器の構造の自由度が低下する。
【０００６】
また、差込部材を差込口に入れる構造では、蓋部の固定性能と使用性能との調整が難しい。すなわち、一般的に蓋部を確実に固定しようとすると、差込口は差込部材に比してあまり大きなものにすることはできない。すると、差込部材を差込口に入れる作業に手間がかかる。一方、差込部材を差込口に入れることを容易にするため差込口を差込部材に比して大きなものとすると、蓋部を確実に固定するには足りない。
【０００７】
このように、側板の一部を切除して開封するタイプの包装容器は、蓋部の固定性能と使用性能との両立が困難であるという課題を抱えていた。
【０００８】
本考案の目的は、側板の一部を切除して開封する包装容器において、蓋部の固定性能及び使用性能を高いものとすることである。
【課題を解決するための手段】
【０００９】
上記目的を達成するための本考案の第１の構成は、一枚のブランク板を折りたたむことで形成され、連続する複数の側板を折りたたむことで内容物の収納空間を形成する容器側部と、蓋部と、を有する包装容器であって、複数の前記側板のうち一つの側板の蓋側端部には切除部が形成され、前記蓋部は、前記側板に対して、天板表面片と天板裏面片が連続して連結されることで形成され、前記天板裏面片に差込片を連結させる第一蓋部材と、前記天板裏面片に対して接着される第二蓋部材とを有し、前記容器側部によって囲まれることで形成される開口に前記差込片を差し込むことで蓋をすることを特徴とする包装容器である。
【００１０】
第２の構成は、複数の前記側板のうち正面側板に前記第一蓋部材が連結され、複数の前記側板のうち背面側板に前記第二蓋部材が連結されることを特徴とする第１の構成に記載の包装容器である。
【考案の効果】
【００１１】
上記構成により、側板の一部を切除して開封する包装容器において、蓋部の固定性能及び使用性能を高いものとすることができる。
【図面の簡単な説明】
【００１２】
【図１】包装容器の展開図。
【図２】包装容器の完成時の状態を説明する斜視図。
【図３】包装容器の使用状態を説明する斜視図。
【考案を実施するための形態】
【００１３】
図を用いて実施形態の包装容器を説明する。図１は包装容器の展開図である。（ａ）がブランク板表面、すなわち容器の外部側から見た面の展開図で、（ｂ）がブランク板裏面、すなわち容器の内部側から見た面の展開図である。
【００１４】
包装容器１は、図１に示す一枚のブランク板を折りたたむことで形成される。包装容器１は、図１に示すように、連続する複数の側板を折りたたむことで内容物の収納空間を形成する容器側部１０と、蓋部２０と、底部３０を有する。そして、容器側部１０によって囲まれることで形成される開口Ａ（図３（ａ）参照）に差込片２２（後述）を差し込むことで蓋をする。
【００１５】
図１の展開図を用いて、包装容器１の各部構成を説明する。容器側部１０は、折り目を介して連続して形成される、右側板１１、正面側板１２、左側板１３、背面側板１４、糊代板１５を有する。正面側板１２には、切取線Ｃにて切取可能に構成される蓋側切取部１２ａ（切除部）と、切取線Ｃにて切取可能に構成される底側切取部１２ｂとが形成される。糊代板１５には、右側板１１に対して固定するための接着剤Ｇが配される。
【００１６】
蓋部２０は、第一蓋部材２１と、第二蓋部材２３とが重畳して固定されることで形成される。
【００１７】
第一蓋部材２１は、正面側板１２の蓋側端部に対して、天板表面片２１ａと天板裏面片２１ｂが連続して連結されることで形成される。また、天板裏面片２１ｂには、差込片２２が連結する。
【００１８】
第二蓋部材２３は、背面側板１４の蓋側端部に連結される。また、第二蓋部材２３の表面側は、組立の際、天板裏面片２１ｂにある接着剤Ｇによって、天板裏面片２１ｂに対して接着される。
【００１９】
また、蓋部２０は、右側板１１及び左側板１３にそれぞれ連結される蓋側保持片２４を有する。
【００２０】
また、底部３０は、正面側板１２の底側端部に形成される底側切取部１２ｂに対して連結される第一底部材３１と、背面側板１４に連結される第二底部材３２を重畳して固定して形成する。底部３０は、右側板１１及び左側板１３の底側端部にそれぞれ連結される底側保持片３３を有する。
【００２１】
包装容器１を組み立てた後の状態を説明する。図２は包装容器の完成時の状態を説明する斜視図である。図２（ａ）に示すように、包装容器１は容器側部１０の上部が蓋部２０によって蓋がされている。図２（ｂ）に示すように、蓋部２０は、第一蓋部材２１、第二蓋部材２３が接着固定されて重畳されることで形成される。包装容器１の下面は底部３０が形成される。
【００２２】
包装容器１の使用時の蓋部２０の状態を説明する。図３は包装容器の使用状態を説明する斜視図である。
【００２３】
包装容器１の使用時においては、まず、図２の状態で、蓋側切取部１２ａを押す。すると、切取線Ｃに沿って蓋側切取部１２ａが正面側板１２から分離する。これにより、蓋側切取部１２ａと連結された第一蓋部材２１が開放可能となる。
【００２４】
図３（ａ）に示すように、第一蓋部材２１を開放すると、その裏面に接着された第二蓋部材２３も開放する。これにより、容器側部１０に囲まれることで形成される開口Ａができる。そして、２つの蓋側保持片２４を開くと、内容物が取り出せる状態となる。
【００２５】
蓋部２０を閉じる場合には、図３（ｂ）に示すように、第一蓋部材２１で蓋をする。ここで、第一蓋部材２１に連結する差込片２２を蓋側保持片２４と正面側板１２との間に差し込む。すると、差込片２２が蓋側保持片２４と正面側板１２との間で保持され、蓋部２０が固定される。
【００２６】
以上のように、本実施形態によれば、側板の一部を切除して開封するタイプの包装容器であっても、差込片を有する蓋部とすることができ、蓋側保持片と側板との間に差し込むことができる。
【００２７】
特に、本構成は蓋部が４枚フラップの場合に好適である。４枚フラップとは、正面、背面、２側面に連結された４枚の片のうち、少なくとも正面に連結された片と背面に連結された片とを接着して、構成した蓋部である。
【００２８】
従来は、側板の一部を切除して開封するタイプの包装容器の場合、蓋部に差込部材を形成し正面側板に差込口を形成しなければならなかったが、本実施形態では、正面側板に差込口を形成する必要はない。
【００２９】
また、従来の差込部材を差込口に挿入する構造にあっては、差込口の幅は側板よりも小さくなければならず、固定性能に問題があった。これに対して、本実施形態によれば、容器側部１０と２つの蓋側保持片２４の間に、正面側板１２と略同等の幅の差込片２２に挿入するため、固定性能が高くなる。
【００３０】
また、従来の差込口は幅が側板よりも小さいため、差込部材を差込みにくいといった問題があった。これに対して、本実施形態によれば、差込む部分は正面側板１２と同等の幅であり、広いため、差込片２２を容易に差し込むことができる。よって、使用性能も高いものとなる。
【産業上の利用可能性】
【００３１】
本考案は、蓋を、ミシン目に沿って切除して開封する形態の包装容器に利用することができる。
【符号の説明】
【００３２】
Ａ…開口、Ｃ…切取線、Ｇ…接着剤、１…包装容器、１０…容器側部、１１…右側板、１２…正面側板、１２ａ…蓋側切取部、１２ｂ…底側切取部、１３…左側板、１４…背面側板、１５…糊代板、２０…蓋部、２１…第一蓋部材、２１ａ…天板表面片、２１ｂ…天板裏面片、２２…差込片、２３…第二蓋部材、２４…蓋側保持片、３０…底部、３１…第一底部材、３２…第二底部材、３３…底側保持
【図１】
0003183100.tif 000003
【図２】
0003183100.tif 000004
【図３】
0003183100.tif 000005